(57)【特許請求の範囲】
【請求項１】
開口より奥に設置されるスイッチ取付部に取付けられて、前記開口に埋め込まれる平面スイッチであって、
前記スイッチ取付部に少なくとも一部が支持され、前記開口側にセンサ面を向けて配置されるスイッチ部と、
前記スイッチ取付部と前記スイッチ部の間に配置され、前記スイッチ部を前記開口側に付勢する付勢部と、
前記付勢部の付勢に抗して前記スイッチ部の前記スイッチ取付部からの距離を調節する距離調節部と
を備え、
前記付勢部は、前記スイッチ部を付勢する複数の弾性体と、前記弾性体を支持し、前記スイッチ取付部に取付けられる１つ以上の固定プレートとを備え、
前記距離調節部は、前記固定プレートに設けられた１つ以上のネジ螺合部に螺合される複数のネジを備え、
前記スイッチ部には、前記ネジを通す複数のネジ孔が設けられており、
前記弾性体は、圧縮コイルばねであり、
前記固定プレートは、前記圧縮コイルばねの少なくとも一部を収容する１つ以上のばね収容凹部を有しており、
前記ネジ螺合部が、前記ばね収容凹部に設けられていることを特徴とする平面スイッチ。
【請求項２】
前記スイッチ部は、前記スイッチ取付部側に配置される制御ユニットと、前記センサ面が前記開口側に位置するように前記制御ユニットに取付けられるセンサユニットとを備えていることを特徴とする請求項１に記載の平面スイッチ。
【請求項３】
開口より奥に設置されるスイッチ取付部に取付けられて、前記開口に埋め込まれる平面スイッチであって、
前記スイッチ取付部に少なくとも一部が支持され、前記開口側にセンサ面を向けて配置されるスイッチ部と、
前記スイッチ取付部と前記スイッチ部の間に配置され、前記スイッチ部を前記開口側に付勢する付勢部と、
前記付勢部の付勢に抗して前記スイッチ部の前記スイッチ取付部からの距離を調節する距離調節部と
を備え、
前記スイッチ部は、前記スイッチ取付部側に配置される制御ユニットと、前記センサ面が前記開口側に位置するように前記制御ユニットに取付けられるセンサユニットとを備え、
前記制御ユニットは、前記スイッチ部の制御を行う制御基板と、前記制御基板を収容する制御基板収容凹部を有する制御ユニットケースと、前記制御ユニットケースに取付けられる無線モジュールと、前記制御ユニットケースに取付けられ、前記無線モジュール及び前記制御基板を覆うカバーとを備えていることを特徴とする平面スイッチ。
【請求項４】
前記センサユニットは、前記開口側を向く表面にＬＥＤが設けられたセンサ基板と、前記ＬＥＤの発光面に側面を対向させて前記センサ基板の前記表面に配置される導光板と、前記センサ基板の前記表面と反対側の裏面に配置され、前記センサ基板及び前記導光板を収容するセンサユニットケースと、前記センサユニットケースに取付けられ、前記導光板の外周部を前記センサユニットケース側に押えるとともに前記導光板の側面からの漏れ光を前記導光板側に反射させるカバーリフレクタとを備えている請求項３に記載の平面スイッチ。
【請求項５】
開口より奥に設置されるスイッチ取付部に取付けられて、前記開口に埋め込まれる平面スイッチであって、
前記スイッチ取付部に少なくとも一部が支持され、前記開口側にセンサ面を向けて配置されるスイッチ部と、
前記スイッチ取付部と前記スイッチ部の間に配置され、前記スイッチ部を前記開口側に付勢する付勢部と、
前記付勢部の付勢に抗して前記スイッチ部の前記スイッチ取付部からの距離を調節する距離調節部と
を備え、
前記スイッチ部は、前記スイッチ取付部側に配置される制御ユニットと、前記センサ面が前記開口側に位置するように前記制御ユニットに取付けられるセンサユニットとを備え、
前記センサユニットは、前記開口側を向く表面にＬＥＤが設けられたセンサ基板と、前記ＬＥＤの発光面に側面を対向させて前記センサ基板の前記表面に配置される導光板と、前記センサ基板の前記表面と反対側の裏面に配置され、前記センサ基板及び前記導光板を収容するセンサユニットケースと、前記センサユニットケースに取付けられ、前記導光板の外周部を前記センサユニットケース側に押えるとともに前記導光板の側面からの漏れ光を前記導光板側に反射させるカバーリフレクタとを備えていることを特徴とする平面スイッチ。
【請求項６】
前記付勢部は、前記スイッチ部を付勢する複数の弾性体と、前記弾性体を支持し、前記スイッチ取付部に取付けられる１つ以上の固定プレートと、を備えていることを特徴とする請求項３から請求項５のいずれか１項に記載の平面スイッチ。
【請求項７】
前記距離調節部は、前記固定プレートに設けられた１つ以上のネジ螺合部に螺合される複数のネジを備え、
前記スイッチ部には、前記ネジを通す複数のネジ孔が設けられていることを特徴とする請求項６に記載の平面スイッチ。
【請求項８】
前記センサユニットは静電容量式であることを特徴とする請求項２から請求項７のいずれか１項に記載の平面スイッチ。
【請求項９】
前記距離調節部を複数備え、複数の前記距離調節部のそれぞれが前記距離を調節可能であることを特徴とする請求項１から請求項８のいずれか１項に記載の平面スイッチ。
【請求項１０】
請求項１から請求項９のいずれか１項に記載の平面スイッチと、
前記スイッチ取付部と
を備えていることを特徴とする平面スイッチユニット。
【発明の詳細な説明】
【技術分野】
【０００１】
本発明は平面スイッチ及び平面スイッチユニットに関するものである。
【背景技術】
【０００２】
壁に埋め込まれた状態で取付けて使用するとともに、壁から取外してリモコンとしても使用可能な照明用スイッチが知られている（特許文献１参照）。
特許文献１の照明用スイッチでは、静電容量センサを用いてスイッチを構成しているのでスイッチ部分が平面である。
【先行技術文献】
【特許文献】
【０００３】
【特許文献１】特開２０１２―０５９５８０号公報
【発明の概要】
【発明が解決しようとする課題】
【０００４】
特許文献１のような静電容量センサを用いたスイッチの場合、スイッチ面を平らに構成することが可能である。
このため、例えば、建物の壁に設置する場合、スイッチ面を壁と面一（例えば、スイッチ面と壁面が同一平面状）になるように設置できれば、スイッチ面が突出しないため、部屋等の美観を高めることが可能である。
【０００５】
しかしながら、建物の内壁と外壁との間の距離寸法は建物ごとに様々であるため、スイッチ面が平らであったとしても、スイッチを内壁に取付けたときに、必ずしも、スイッチ面が外壁と面一になるとは言えない。
このように、スイッチ面が外壁から突出しないように設置することは、スイッチ面が平らであったとしても、簡単に行えるものではないという問題がある。
したがって、スイッチの設置自由度が高く、例えば、スイッチ面を開口と面一にするといったスイッチの設置状態を簡単に実現できるスイッチの出現が望まれる。
【０００６】
本発明は、上記事情に鑑みてなされたものであり、開口に埋め込まれる平面スイッチであって、設置自由度が高い平面スイッチを提供することを目的とする。
【課題を解決するための手段】
【０００７】
本発明は、上記目的を達成するために、以下の構成によって把握される。
（１）本発明の平面スイッチは、開口より奥に設置されるスイッチ取付部に取付けられて、前記開口に埋め込まれる平面スイッチであって、前記スイッチ取付部に少なくとも一部が支持され、前記開口側にセンサ面を向けて配置されるスイッチ部と、前記スイッチ取付部と前記スイッチ部の間に配置され、前記スイッチ部を前記開口側に付勢する付勢部と、前記付勢部の付勢に抗して前記スイッチ部の前記スイッチ取付部からの距離を調節する距離調節部と、を備えている。
【０００８】
（２）上記（１）の構成において、前記距離調節部を複数備え、複数の前記距離調節部のそれぞれが前記距離を調節可能である。
【０００９】
（３）上記（１）又は（２）の構成において、前記付勢部は、前記スイッチ部を付勢する複数の弾性体と、前記弾性体を支持し、前記スイッチ取付部に取付けられる１つ以上の固定プレートと、を備えている。
【００１０】
（４）上記（３）の構成において、前記距離調節部は、前記固定プレートに設けられた１つ以上のネジ螺合部に螺合される複数のネジを備え、前記スイッチ部には、前記ネジを通す複数のネジ孔が設けられている。
【００１１】
（５）上記（４）の構成において、前記弾性体は、圧縮コイルばねであり、前記固定プレートは、前記圧縮コイルばねの少なくとも一部を収容する１つ以上のばね収容凹部を有しており、前記ネジ螺合部が、前記ばね収容凹部に設けられている。
【００１２】
（６）上記（１）から（５）のいずれか１つの構成において、前記スイッチ部は、前記スイッチ取付部側に配置される制御ユニットと、前記センサ面が前記開口側に位置するように前記制御ユニットに取付けられるセンサユニットと、を備えている。
【００１３】
（７）上記（６）の構成において、前記制御ユニットは、前記スイッチ部の制御を行う制御基板と、前記制御基板を収容する制御基板収容凹部を有する制御ユニットケースと、前記制御ユニットケースに取付けられる無線モジュールと、前記制御ユニットケースに取付けられ、前記無線モジュール及び前記制御基板を覆うカバーと、を備えている。
【００１４】
（８）上記（６）又は（７）の構成において、前記センサユニットは、前記開口側を向く表面にＬＥＤが設けられたセンサ基板と、前記ＬＥＤの発光面に側面を対向させて前記センサ基板の前記表面に配置される導光板と、前記センサ基板の前記表面と反対側の裏面に配置され、前記センサ基板及び前記導光板を収容するセンサユニットケースと、前記センサユニットケースに取付けられ、前記導光板の外周部を前記センサユニットケース側に押えるとともに前記導光板の側面からの漏れ光を前記導光板側に反射させるカバーリフレクタと、を備えている。
【００１５】
（９）上記（６）から（８）のいずれか１つの構成において、前記センサユニットは静電容量式である。
【００１６】
（１０）本発明の平面スイッチユニットは、上記（１）から（９）のいずれか１つの構成を有する平面スイッチと、前記スイッチ取付部と、を備えている。
【発明の効果】
【００１７】
本発明によれば、開口に埋め込まれる埋め込み型の平面スイッチであって、設置自由度が高い平面スイッチを提供することができる。
【図面の簡単な説明】
【００１８】
【図１】本発明に係る実施形態の平面スイッチが部屋等の壁面内に埋め込まれて設置されている状態を示す斜視図である。
【図２】本発明に係る実施形態の平面スイッチユニットの斜視図である。
【図３】実施形態のスイッチ部だけを示した分解斜視図である。
【図４】実施形態の制御ユニットの分解斜視図である。
【図５】実施形態の制御ユニットの部分的な組立てが終わった状態を示す斜視図である。
【図６】実施形態のセンサユニットの分解斜視図である。
【図７】実施形態の静電容量式のセンサ部分の構成を説明するための断面図であり、（ａ）はスイッチの操作が行われていない状態を示す図であり、（ｂ）はスイッチの操作が行われている状態を示す図である。
【図８】実施形態のスイッチ部の図示を省略した平面スイッチユニットの分解斜視図である。
【図９】実施形態のスイッチ取付部に付勢部を取付けた状態を示す斜視図である。
【図１０】実施形態のスイッチ部のスイッチ取付部からの距離を距離調節部で調節する方法を説明するための図である。
【発明を実施するための形態】
【００１９】
以下、本発明を実施するための形態(以下、「実施形態」という)を、添付図面に基づいて詳細に説明する。
なお、実施形態の説明の全体を通して同じ要素には同じ番号を付している。
【００２０】
図１は、本発明に係る実施形態の平面スイッチ１が部屋等の壁面内に埋め込まれて設置されている状態を示す斜視図である。
本実施形態の平面スイッチ１は、例えば、部屋の照明機器等のスイッチとなるものである。
ただし、本発明の平面スイッチ１は照明以外のもの（空調設備や家電製品、シャッターやカーテンなど）を操作するためのスイッチに用いられてもよい。
【００２１】
図１に示すように、部屋等の外壁２には、開口２ａが形成されており、その開口２ａの奥に平面スイッチ１が設置され、その開口２ａを塞ぐように外壁２とほぼ面一となるように蓋３が設けられ、その上に蓋３に対応する部分に開口が設けられた若しくは蓋３に対応する部分が透明や半透明とされた図示しない壁紙等が設けられる。
なお、蓋３は、外壁２に取付けられるが、平面スイッチ１に近接又は接触させるように配置することで蓋３が押されても撓むことが無いようにできる。
また、壁紙等は、壁紙等の蓋３に対応する部分に図柄が形成され、半透明であるようなものであってもよい。
【００２２】
ここで、蓋３を例えばハーフミラーとすると、平面スイッチ１が光らない状態の場合、蓋３の表面が鏡面として視認され、平面スイッチ１がスイッチとして目だちにくい外観となり、部屋等のインテリアに溶け込みやすくなる。
また、平面スイッチ１を光らせると、ハーフミラーにスイッチの操作部となる図や記号などを印刷していた場合、その印刷が浮かび上がるように現れ、斬新な美観を実現することができる。
他にも蓋３は透明な板にスイッチの操作部となる図や記号など印刷しただけでもよく、蓋３の下面にスイッチの操作部となる図や記号など印刷したフィルムを別に配置してもよい。
【００２３】
図２は、平面スイッチ１と、スイッチ取付部２０と、を備える平面スイッチユニット１００を示した斜視図である。
図２に示すように、平面スイッチ１は、開口２ａ（図１参照）側にセンサ面を向けて配置されるスイッチ部１０と、スイッチ取付部２０に取付けられ、スイッチ部１０を開口２ａ側に付勢する付勢部２１と、付勢部２１の付勢力に抗してスイッチ部１０のスイッチ取付部２０からの距離を調節する距離調節部２２と、を備えており、スイッチ部１０は、スイッチ取付部２０とスイッチ部１０の間に配置された付勢部２１を介して、少なくとも一部がスイッチ取付部２０に支持された状態になっている。
以下、スイッチ部１０、スイッチ取付部２０、付勢部２１及び距離調節部２２の構成について説明する。
【００２４】
（スイッチ部の構成）
図３は、スイッチ部１０の分解斜視図である。
図３に示すように、スイッチ部１０は、スイッチ取付部２０（図２参照）側に配置される制御ユニット３０と、後述するセンサ面が開口２ａ（図１参照）側に位置するように制御ユニット３０に取付けられるセンサユニット４０と、を備えている。
【００２５】
（制御ユニット）
図４は、制御ユニット３０の分解斜視図である。
図４に示すように、制御ユニット３０は、スイッチ部１０の制御を行う２枚の制御基板３１と、制御基板３１を収容する制御基板収容凹部３２ａを有する制御ユニットケース３２と、制御ユニットケース３２に取付けられる無線モジュール３３と、無線モジュール３３及び制御基板３１を覆うように制御ユニットケース３２に取付けられるカバー３４と、を備えている。
【００２６】
制御基板３１は、スイッチ部１０の全般的な制御を行うための回路が形成された基板である。
また、無線モジュール３３は、スイッチ部１０によるユーザの操作内容を、例えば、そのスイッチ部１０が対象とする照明機器等に無線で送信するための部分である。
【００２７】
本実施形態では、制御基板３１がカバー３４に対してネジ３１ａで取付けられ、無線モジュール３３が制御ユニットケース３２に対してネジ３３ａで取付けられるようになっている。
なお、制御基板３１は、センサユニット４０や無線モジュール３３と、図示しない着脱可能な電気配線等で接続される。
【００２８】
図５は、制御基板３１をカバー３４に取付けるとともに、無線モジュール３３を制御ユニットケース３２に取付けた部分的な組立が終わった状態を示す斜視図である。
上述のように、カバー３４への制御基板３１の取付けと、制御ユニットケース３２への無線モジュール３３の取付けが終わると、次に、カバー３４をネジ３５で制御ユニットケース３２に取付ける。
【００２９】
このようにしてカバー３４が取付けられると、図３に示す制御ユニット３０の状態、つまり、無線モジュール３３及び制御基板３１がカバー３４で覆われるようにして、制御ユニットケース３２内に収容された状態となる。
【００３０】
（センサユニット）
図６は、センサユニット４０の分解斜視図である。
図６に示すように、センサユニット４０は、開口２ａ（図１参照）側を向く表面４１ａに複数のＬＥＤ４１ｂが設けられたセンサ基板４１と、ＬＥＤ４１ｂの発光面に側面を対向させてセンサ基板４１の表面４１ａに配置される導光板４２と、を備えている。
【００３１】
具体的には、センサ基板４１の一端４１ｃ側と一端４１ｃに対向する他端４１ｄ側とに、一端４１ｃ及び他端４１ｄに沿って並ぶように５つのＬＥＤ４１ｂが配置されており、その対向するＬＥＤ４１ｂの間の部分に静電容量式のセンサ部分が設けられている。
【００３２】
つまり、センサ基板４１の表面４１ａがセンサ面になっており、このセンサ面となる表面４１ａが開口２ａ（図１参照）側を向くことになるので、ＬＥＤ４１ｂは、センサ基板４１の開口２ａ（図１参照）側を向く表面４１ａに設けられたものになっている。
【００３３】
ここで、上述の静電容量式のセンサ部分については、一般的な構成のものでもよいが、本実施形態の静電容量式のセンサ部分は以下のような構成のものになっている。
図７は、本実施形態の静電容量式のセンサ部分の構成を説明するための図であり、センサ基板４１の静電容量式のセンサ部分５０が設けられているところのセンサ基板４１の断面図である。
【００３４】
図７（ａ）に示すように、センサ基板４１の静電容量式のセンサ部分５０は、センサ基板４１の表面４１ａ側に位置するドライブライン５１及びセンサーライン５２と、センサ基板４１の裏面４２ｅ側に位置するグランド５３と、を備えている。
そして、ドライブライン５１とセンサーライン５２及びグランド５３との間に電界が生じており、図７ではその電界の様子を電気力線として矢印で表現している。
【００３５】
この状態のところに、図７（ｂ）に示すように、人の指Ｆが近づくと電気力線が指Ｆ側に引っ張られ、センサーライン５２への電気力線の本数が減少する。
この電気力線の減少すなわち静電容量の変化を検知することで、スイッチの操作が行われたか否かを検出するようになっている。
【００３６】
なお、静電容量式のセンサ部分５０は、その他一般的な他の構成からなるものとしてもよいが、本実施形態の電気力線の変化を検知する構成の場合、センサ面（表面４１ａ）から指Ｆが離れていても、指Ｆが近くにあるだけで検知することが可能である。
このため、センサ面（表面４１ａ）上に、後述する導光板４２や蓋３（図１参照）が設けられるような場合でも、スイッチの操作が行われたか否かの良好な検知ができる。
【００３７】
また、センサ面（表面４１ａ）と導光板４２との間や導光板４２と蓋３との間に隙間（空気層）などがある場合でも指Ｆが近づいたことを検知することが可能である。
このため、センサ面（表面４１ａ）から蓋３に至るまでに隙間が存在しても問題がなく、その分だけ各部材の厳密な寸法管理や高い組立精度を不要にすることができる。
【００３８】
図６に戻って説明を続けると、導光板４２の一端４２ａの側面がセンサ基板４１の一端４１ｃ側に設けられたＬＥＤ４１ｂの発光面に対向するとともに、導光板４２の一端４２ａと対向する他端４２ｂの側面がセンサ基板４１の他端４１ｄ側に設けられたＬＥＤ４１ｂの発光面に対向するように、導光板４２がセンサ基板４１の一端４１ｃ側に設けられたＬＥＤ４１ｂとセンサ基板４１の他端４１ｄ側に設けられたＬＥＤ４１ｂの間の位置に配置される。
【００３９】
また、センサユニット４０は、センサ基板４１の表面４１ａと反対側の裏面４１ｅ側に配置され、センサ基板４１及び導光板４２を収容するセンサユニットケース４３と、センサユニットケース４３に取付けられ、導光板４２の外周部をセンサユニットケース４３側に押えるとともに導光板４２の側面からの漏れ光を導光板４２側に反射させるカバーリフレクタ４４と、を備えている。
【００４０】
なお、カバーリフレクタ４４は、漏れ光を導光板４２に戻すために導光板４２側に光を反射させるので反射率が高いことが好ましく、したがって、白色の樹脂等で形成されることが好ましい。
また、センサユニットケース４３とカバーリフレクタ４４とは、例えば、圧入嵌合によって一体化するようにしてもよく、係合構造で一体化してもよく、係止爪による係止構造で一体化するようにしてもよく、一体化のための手段は、特に限定されるものではない。
【００４１】
そして、センサ基板４１上に導光板４２が設けられるとともに、それらがセンサユニットケース４３に収容され、導光板４２の外周部を押えるようにカバーリフレクタ４４がセンサユニットケース４３に一体化されると、図３に示すような開口２ａ（図１参照）側に向く面がほぼ平らなセンサユニット４０の状態となる。
【００４２】
ここで、はじめに述べたように、蓋３を例えばハーフミラーとすると、平面スイッチ１が光らない状態の場合、蓋３の表面が鏡面として視認される。
また、平面スイッチ１を光らせると、ハーフミラーにスイッチの操作部となる図や記号などを印刷していた場合、その印刷が浮かび上がるように現れることでスイッチの位置がわかるようにできる。
他にも蓋３は透明な板にスイッチの操作部となる図や記号など印刷しただけでもよく、蓋３の下面にスイッチの操作部となる図や記号など印刷したフィルムを別に配置してもよい。
【００４３】
一方、制御ユニット３０とセンサユニット４０からなるスイッチ部１０は、図３に示した制御ユニット３０に対して、例えば、係合爪等の構成でセンサユニット４０を着脱可能に取付けるようにして図２に示したスイッチ部１０とすることが好ましい。
【００４４】
このように制御ユニット３０に対してセンサユニット４０を着脱可能に取付けるようにしておくと、平面スイッチ１のデザインの変更等がある場合でも、そのデザインに応じたセンサユニット４０にセンサユニット４０の部分を変更するだけでよく、制御ユニット３０自体は、各センサユニット４０で共通のものとすることができる。
【００４５】
次に、スイッチ部１０の図示を省略した平面スイッチ１の分解斜視図である図８から図１０を参照しながら、スイッチ取付部２０、付勢部２１及び距離調節部２２の構成について説明する。
【００４６】
（スイッチ取付部の構成）
図８に示すように、スイッチ取付部２０は、一般に市販されているＪＩＳの規格に沿ったスイッチボックスを用いるようにしている。
このような構成とすることで、スイッチ取付部２０を通常のスイッチボックスを設ける作業に従って、開口２ａ（図１参照）より奥に設置することが可能である。
【００４７】
また、既に壁等にスイッチが設置されている場合には、その既存のスイッチを取外して、既に設置されているスイッチボックスを、そのまま流用する形で平面スイッチ１を設置することが可能となる。
【００４８】
なお、市販のスイッチボックスをスイッチ取付部２０に用いることに限定されるものではなく、必要に応じて、スイッチ取付部２０を市販のものとは別の設計で作製するようにしてもよい。
【００４９】
（付勢部）
図８に示すように、付勢部２１は、図示しないスイッチ部１０を付勢する４つの圧縮コイルばねからなる弾性体２１ａと、弾性体２１ａを支持し、スイッチ取付部２０にネジ２１ｂで取付けられる２つの固定プレート２１ｃと、を備えている。
【００５０】
それぞれの固定プレート２１ｃには、スイッチ部１０の四隅に対応する位置に圧縮コイルばねからなる弾性体２１ａを位置させるように、圧縮コイルばねの一部を収容する２つのばね収容凹部２１ｄを有している。
また、後ほど説明するが、このばね収容凹部２１ｄのそれぞれの底面には、図示しないネジを螺合させるネジ螺合部（図示せず）が形成されている。
【００５１】
図９は、スイッチ取付部２０に付勢部２１を取付けた状態を示す斜視図である。
図９に示すように、固定プレート２１ｃは、スイッチ取付部２０の一端側と一端側に対向する他端側に取付けられ、そして、弾性体２１ａがスイッチ取付部２０の四隅に位置するように、弾性体２１ａの一部がばね収容凹部２１ｄに収容されている。
そして、一部が収容されるようにばね収容凹部２１ｄに収容された弾性体２１ａは、残る部分がばね収容凹部２１ｄから突出した状態になっている。
【００５２】
ここで、図２を見るとわかるように、スイッチ部１０は、スイッチ取付部２０とほぼ同じ外形であり、図９に示すように、スイッチ取付部２０の四隅に配置された弾性体２１ａは、スイッチ部１０の四隅を付勢することになる。
このように４点支持の状態で付勢することで、スイッチ部１０の高い姿勢安定性が得られる。
【００５３】
なお、本例では、固定プレート２１ｃを２つ用いているが、固定プレート２１ｃ同士の両端がアームで繋がった枠形状であってもよく、この場合には固定プレート２１ｃは１つになる。
また、それぞれの弾性体２１ａごとに固定プレート２１ｃを設けるようにしてもよい。
このため、固定プレート２１ｃは、必ずしも、２つである必要はなく、１つ以上の固定プレート２１ｃがあればよい。
【００５４】
さらに、すべての固定プレート２１ｃに設けられたばね収容凹部２１ｄの数を合わせれば弾性体２１ａの数と等しくなるものの、固定プレート２１ｃに設けるばね収容凹部２１ｄの数は、固定プレート２１ｃの数によって変わってくる。
【００５５】
つまり、それぞれの弾性体２１ａに対応して固定プレート２１ｃを設ける場合には、それぞれの固定プレート２１ｃに１ずつばね収容凹部２１ｄを設けることになり、本実施形態のように、２つの弾性体２１ａに対して１つの固定プレート２１ｃを設ける場合には、それぞれの固定プレート２１ｃに２つのばね収容凹部２１ｄを設けることになる。
【００５６】
このため、固定プレート２１ｃには、必ずしも、２つのばね収容凹部２１ｄが設けられるものではなく、その態様に応じて１以上のばね収容凹部２１ｄが設けられるものとなる。
【００５７】
加えて、本実施形態では、４つの圧縮コイルばねからなる弾性体２１ａを用いているが、良好にスイッチ部１０を安定した姿勢で付勢できれば、弾性体２１ａの数も４つに限定されるものではない。
例えば、３つの圧縮コイルばねからなる弾性体２１ａを用いて、３点支持の状態でスイッチ部１０を付勢するようにしても、スイッチ部１０を安定した姿勢で付勢することが可能である。
【００５８】
一方、弾性体２１ａに関しては、圧縮コイルばねに限定されるものでもなく、板ばねであってもよい。
この場合、板ばねが、Ｖ字形状であれば、１つの板ばねで２点支持できることになるので、２つの板ばねがあれば、本実施形態と同様に４点支持の状態でスイッチ部１０を付勢することが可能である。
したがって、弾性体２１ａを板ばねとする場合には、２つ以上（複数）の弾性体２１ａがあればよい。
【００５９】
（距離調節部）
図１０は、スイッチ部１０のスイッチ取付部２０からの距離を距離調節部２２で調節する方法を説明するための図である。
図１０に示すように、スイッチ部１０には、４隅にネジ２２ａを通すネジ孔１０ａが設けられている。
このネジ孔１０ａは、固定プレート２１ｃのばね収容凹部２１ｄの位置に対応するように形成されている。
【００６０】
そして、上述したように、固定プレート２１ｃのばね収容凹部２１ｄの底面には、図では見えていないがネジ２２ａを螺合させるネジ螺合部２２ｂが形成されている。
したがって、ネジ２２ａをスイッチ部１０のネジ孔１０ａに通し、圧縮コイルばねからなる弾性体２１ａの中央を貫通させて、ネジ螺合部２２ｂに螺合させると、ネジ２２ａのネジ螺合部２２ｂに対する螺合量によって、スイッチ部１０に許されるスイッチ取付部２０からの離間距離を変えることができる。
【００６１】
一方、スイッチ部１０は、弾性体２１ａによってスイッチ取付部２０から離れる方向に付勢されている。
このため、スイッチ部１０は、このネジ２２ａによって決まるスイッチ取付部２０からの離間距離分だけ離れた位置に位置することになる。
このように、距離調節部２２は、固定プレート２１ｃに設けられたネジ螺合部２２ｂと、そのネジ螺合部２２ｂに螺合されるネジ２２ａとによって構成されている。
【００６２】
なお、本実施形態では、ネジ螺合部２２ｂは、ばね収容凹部２１ｄの底面に形成するようにしているが、必ずしも、ばね収容凹部２１ｄの底面に形成される必要はなく、適宜位置を変えてよい。
また、本実施形態では、４つのネジ２２ａと４つのネジ螺合部２２ｂとで距離調節部２２を構成しているが、ネジ２２ａの数を３つにして、それに合わせてネジ螺合部２２ｂの数を３つにする等の変更を行ってもよい。
【００６３】
以上のように構成される平面スイッチ１によれば、ネジ２２ａの螺合量をドライバ等で調節するだけで、スイッチ部１０をスイッチ取付部２０に近づけたり、離したりするようにスイッチ部１０のスイッチ取付部２０からの距離を調節することができる。
【００６４】
したがって、スイッチ部１０が開口２ａ（図１参照）に対して適切な位置に位置するように、開口２ａ（図１参照）より奥に設置されるスイッチ取付部２０からの距離を調節することができる。
【００６５】
また、本実施形態のように、複数の箇所にネジ２２ａを設けていると、各ネジ２２ａの螺合量を変えることで、スイッチ取付部２０に対するスイッチ部１０の傾きも調節可能である。
このため、スイッチ部１０の開口２ａ（図１参照）側の端面を開口２ａ（図１参照）に対してフラットにするために、傾きの調節が必要である場合でも、簡単に傾きを調節することが可能となる。
【００６６】
以上、本発明を実施形態に基づき説明したが、本発明は実施形態に限定されるものではなく、その要旨を逸脱しない範囲で種々変更が可能である。
上記では、主に部屋の壁に平面スイッチ１が設置される場合で説明してきたが、設置場所は、部屋の壁に限定される必要はなく、例えば、机などの家具や家電製品等であってもよい。
【００６７】
また、上記では、平面スイッチ１を設けたときに、開口２ａの部分に段差ができないように設置する場合について説明してきたが、本発明の平面スイッチ１は、傾きを調整することが可能であるため、チルトさせて設置したいような箇所に用いることも可能である。
【００６８】
さらに、予め平面スイッチ１とスイッチ取付部２０の距離が分かっている場合などは、ネジ２２ａの代わりにガイドピンを用い、ガイドピンを嵌合や接着剤等で固定することも可能である。
ガイドピンを用いることで、距離が正確に定めやすくなり、また、平面スイッチ１が多数ある場合などは作業時間を短縮することも期待できる。
【００６９】
このように、本発明は、具体的な実施形態に限定されるものではなく、種々の変更を行ったものも含まれるものであり、そのことは、当業者にとって特許請求の範囲の記載から明らかである。
【符号の説明】
【００７０】
１…平面スイッチ、２…外壁、２ａ…開口、３…蓋、１０…スイッチ部、２０…スイッチ取付部、２１…付勢部、２１ａ…弾性体、２１ｂ…ネジ、２１ｃ…固定プレート、２１ｄ…ばね収容凹部、２２…距離調節部、２２ａ…ネジ、２２ｂ…ネジ螺合部、３０…制御ユニット、３１…制御基板、３１ａ…ネジ、３２…制御ユニットケース、３２ａ…制御基板収容凹部、３３…無線モジュール、３４…カバー、４０…センサユニット、４１…センサ基板、４１ａ…表面、４１ｂ…ＬＥＤ、４１ｃ…一端、４１ｄ…他端、４１ｅ…裏面、４２…導光板、４２ａ…一端、４２ｂ…他端、４３…センサユニットケース、４４…カバーリフレクタ、５０…センサ部分、５１…ドライブライン、５２…センターライン、５３…グランド、１００…平面スイッチユニット、Ｆ…指
【図１】
0006453782.tif 000002
【図２】
0006453782.tif 000003
【図３】
0006453782.tif 000004
【図４】
0006453782.tif 000005
【図５】
0006453782.tif 000006
【図６】
0006453782.tif 000007
【図７】
0006453782.tif 000008
【図８】
0006453782.tif 000009
【図９】
0006453782.tif 000010
【図１０】
0006453782.tif 000011